(57)【要約】【課題】左右もしくは上下方向に広く均一な散水をすることのできる散水ノズルを提供する。【解決手段】水導入用の接続口と、この接続口から取り入れた水が通過する内部の流路と、この流路の先端のシャワー板１２に形成される多数の吐出口１６とを有する散水ノズルであって、上記シャワー板１２は中央部分が前に膨出してＸ方向に湾曲する形状に形成され、複数個の上記吐出口１６をＸ方向に並べて開口したものを１段として、Ｘ方向に直交するＹ方向に複数の段を形成してなるとともに、異なる段の吐出口１６は互いにＸ方向にずらして開口され、かつ、所定の基準の段の吐出口１６を略前方に向けて形成するとともに、他の段の吐出口を上記基準の段側へＹ方向に傾けることにより、上記各吐出口１６から吐出された水が、上記シャワー板１２から所定の距離でＸ方向に略一列に並ぶ。【選択図】図９
2014094324.tif 000002
【特許請求の範囲】
【請求項１】
水導入用の接続口と、この接続口から取り入れた水が通過する内部の流路と、この流路の先端のシャワー板に形成される多数の吐出口とを有する散水ノズルであって、
上記シャワー板は中央部分が前に膨出してＸ方向に湾曲する形状に形成され、複数個の上記吐出口をＸ方向に並べて開口したものを１段として、Ｘ方向に直交するＹ方向に複数の段を形成してなるとともに、
異なる段の吐出口は互いにＸ方向にずらして開口され、かつ、
所定の基準の段の吐出口を略前方に向けて形成するとともに、他の段の吐出口を上記基準の段側へＹ方向に傾けることにより、
上記各吐出口から吐出された水が、上記シャワー板から所定の距離でＸ方向に略一列に並ぶことを特徴とする散水ノズル。
【請求項２】
上記シャワー板が、Ｙ方向中央付近が後退し、Ｙ方向両端側が前進した鞍状の湾曲面に形成されることを特徴とする請求項１記載の散水ノズル。
【請求項３】
上記シャワー板が、逆さ円錐周面状の形状と、円筒周面状の形状と、円錐周面状の形状とをＹ方向に順に接続してなることを特徴とする請求項１記載の散水ノズル。
【請求項４】
水導入用の接続口と、この接続口から取り入れた水が通過する内部の流路と、この流路の先端のシャワー板に形成される多数の吐出口とを有する散水ノズルであって、
上記シャワー板は、複数個の上記吐出口をＸ方向に並べて開口したものを一段として、Ｘ方向に直交するＹ方向に複数の段を形成してなるとともに、
それぞれの段は円筒周面状の形状からなり、上記複数の段がそれぞれの湾曲面を互いにＸ方向にずらして形成され、
Ｙ方向に隣接する段の吐出口が互いにＸ方向にずらした千鳥配置に開口されていることにより、
上記各吐出口から吐出された水が、上記シャワー板から所定の距離で、Ｘ方向に延びるやや幅広な帯状範囲内に点在することを特徴とする散水ノズル。
【請求項５】
上記Ｘ方向は散水ノズルを前方に向けたときの左右方向であり、上記Ｙ方向は散水ノズルを前方に向けたときの上下方向であることを特徴とする請求項１から請求項４のいずれか一項に記載の散水ノズル。
【請求項６】
上記Ｘ方向は散水ノズルを前方に向けたときの上下方向であり、上記Ｙ方向は散水ノズルを前方に向けたときの左右方向であることを特徴とする請求項１から請求項４のいずれか一項に記載の散水ノズル。
【請求項７】
上記シャワー板の取り付け角度を上下左右平面内で変更可能としたことを特徴とする請求項１から請求項４のいずれか一項に記載の散水ノズル。
【発明の詳細な説明】
【技術分野】
【０００１】
本発明は、主に家庭などで園芸や農業、清掃などに用いられ、ホースを介して水道等の給水設備の先端に接続されて散水を行う散水ノズルに関し、特に、散水ノズルの吐出口の構造に関する。
【背景技術】
【０００２】
家庭においては、ホースの先端に取り付けられて任意に散水と止水とを切り換えられる散水ノズルが広く園芸、農業、清掃などに使用されている。このような散水ノズルは、ホースを介して水道等の給水設備から水の供給を受け、先端に形成した吐出口から散水を行う。
【０００３】
従来の散水ノズルは、ホースに接続される基端部から上方に延びる略筒状のグリップ部と、このグリップ部の略上端から前方に延びる略筒状のノズル部とを有しており、全体としてＬ字形、くの字形もしくはピストル形等の屈曲形状に形成されたノズル本体を有していた。
ノズル部の先端に形成される吐出口は、一つの丸い吐出口からなる棒状吐水のほか、図１２（ａ）から（ｃ）に示すようなシャワー板１９に放射状に配置された多数の小さな吐出口２０からなるシャワー状拡散吐水など、様々な吐水を行えるようにしたものがあった。
【０００４】
家庭用散水ノズルには、園芸、農業における水遣りや壁面の清掃などにおいて、左右の広範囲に均一に散水を行えることが求められていた。
しかし、棒状吐水では一度に散水できる範囲が狭いため、園芸、農業、清掃の用途に用いるには不便であった。
また、シャワー状拡散吐水でも、図１２（ｄ）のように、矢印で示したそれぞれの吐出水の着弾点の間には水が当たらないため、ムラができるとともに汚れを押し流す力が弱く、水遣りや清掃が不十分になってしまうという問題があった。
【０００５】
特許文献１には、図１３に示すように、清掃に用いるシャワーヘッドにおいて、スクリーン２１に左右に横長な長孔状の吐出口２２を形成し、左右方向に拡散する吐水を行うものがある。
しかし、特許文献１のシャワーヘッドでは、吐出後に幅が広がる形状で散水されること、シャワーヘッド内部で水にかかっていた応力が吐出後に解放されることや、空気抵抗を強く受ける吐水形状であることから、吐出口から１００ｍｍ先で水が分裂し始め、１０００ｍｍ先では霧状に分散化する傾向にあった。このシャワーヘッドでは、水の着弾点での打力が小さく、十分に汚れを押し流すことができないという問題があった。
【先行技術文献】
【特許文献】
【０００６】
【特許文献１】特開２０１１−２４７１５号公報
【発明の概要】
【発明が解決しようとする課題】
【０００７】
本発明は上記問題点を解決するためになされたものであり、汚れを押し流す効果を有し左右もしくは上下方向に清掃力のある散水をすることのできる散水ノズルを提供することを課題とする。
【課題を解決するための手段】
【０００８】
本発明において、上記課題が解決される手段は以下の通りである。
第１の発明は、水導入用の接続口と、この接続口から取り入れた水が通過する内部の流路と、この流路の先端のシャワー板に形成される多数の吐出口とを有する散水ノズルであって、上記シャワー板は中央部分が前に膨出してＸ方向に湾曲する形状に形成され、複数個の上記吐出口をＸ方向に並べて開口したものを１段として、Ｘ方向に直交するＹ方向に複数の段を形成してなるとともに、異なる段の吐出口は互いにＸ方向にずらして開口され、かつ、所定の基準の段の吐出口を略前方に向けて形成するとともに、他の段の吐出口を上記基準の段側へＹ方向に傾けることにより、上記各吐出口から吐出された水が、上記シャワー板から所定の距離でＸ方向に略一列に並ぶことを特徴とする。
【０００９】
第２の発明は、上記シャワー板が、Ｙ方向中央付近が後退し、Ｙ方向両端側が前進した鞍状の湾曲面に形成されることを特徴とする。
【００１０】
第３の発明は、上記シャワー板が、逆さ円錐周面状の形状と、円筒周面状の形状と、円錐周面状の形状とをＹ方向に順に接続してなることを特徴とする。
【００１１】
第４の発明は、水導入用の接続口と、この接続口から取り入れた水が通過する内部の流路と、この流路の先端のシャワー板に形成される多数の吐出口とを有する散水ノズルであって、上記シャワー板は、複数個の上記吐出口をＸ方向に並べて開口したものを一段として、Ｘ方向に直交するＹ方向に複数の段を形成してなるとともに、それぞれの段は円筒周面状の形状からなり、上記複数の段がそれぞれの湾曲面を互いにＸ方向にずらして形成され、Ｙ方向に隣接する段の吐出口が互いにＸ方向にずらした千鳥配置に開口されていることにより、上記各吐出口から吐出された水が、上記シャワー板から所定の距離で、Ｘ方向に延びるやや幅広な帯状範囲内に点在することを特徴とする。
【００１２】
第５の発明は、上記Ｘ方向は散水ノズルを前方に向けたときの左右方向であり、上記Ｙ方向は散水ノズルを前方に向けたときの上下方向であることを特徴とする。
【００１３】
第６の発明は、上記Ｘ方向は散水ノズルを前方に向けたときの上下方向であり、上記Ｙ方向は散水ノズルを前方に向けたときの左右方向であることを特徴とする。
【００１４】
第７の発明は、上記シャワー板の取り付け角度を上下左右平面内で変更可能としたことを特徴とする。
【発明の効果】
【００１５】
第１の発明によれば、上記シャワー板は中央部分が前に膨出してＸ方向に湾曲する形状に形成され、複数個の上記吐出口をＸ方向に並べて開口したものを１段として、Ｘ方向に直交するＹ方向に複数の段を形成してなるとともに、異なる段の吐出口は互いにＸ方向にずらして開口され、かつ、所定の基準の段の吐出口を略前方に向けて形成するとともに、他の段の吐出口を上記基準の段側へＹ方向に傾けることにより、上記各吐出口から吐出された水が、上記シャワー板から所定の距離でＸ方向に略一列に並ぶことによって、Ｘ方向の広い範囲にムラがなく水勢のある散水を行うことができる。
また、シャワー板の小さな領域に多数の吐出口を形成して、Ｘ方向の広い範囲に吐水することができる。
【００１６】
第２の発明によれば、上記シャワー板が、Ｙ方向中央付近が後退し、Ｙ方向両端側が前進した鞍状の湾曲面に形成されることにより、Ｘ方向の広い範囲にムラがなく水勢のある散水を行うことができる。
【００１７】
第３の発明によれば、上記シャワー板が、逆さ円錐周面状の形状と、円筒周面状の形状と、円錐周面状の形状とをＹ方向に順に接続してなることにより、Ｘ方向の広い範囲にムラがなく水勢のある散水を行うことができる。
【００１８】
第４の発明によれば、上記シャワー板は、複数個の上記吐出口をＸ方向に並べて開口したものを一段として、Ｘ方向に直交するＹ方向に複数の段を形成してなるとともに、それぞれの段は円筒周面状の形状からなり、上記複数の段がそれぞれの湾曲面を互いにＸ方向にずらして形成され、Ｙ方向に隣接する段の吐出口が互いにＸ方向にずらした千鳥配置に開口されていることにより、上記各吐出口から吐出された水が、上記シャワー板から所定の距離で、Ｘ方向に延びるやや幅広な帯状範囲内に点在することによって、Ｘ方向の広い範囲にムラがなく水勢のある散水を行うことができる。
また、シャワー板の小さな領域に多数の吐出口を形成して、Ｘ方向の広い範囲に吐水することができる。
【００１９】
第５の発明によれば、上記Ｘ方向は散水ノズルを前方に向けたときの左右方向であり、上記Ｙ方向は散水ノズルを前方に向けたときの上下方向であることにより、左右方向の広い範囲にムラなく散水することができる。
【００２０】
第６の発明によれば、上記Ｘ方向は散水ノズルを前方に向けたときの上下方向であり、上記Ｙ方向は散水ノズルを前方に向けたときの左右方向であることにより、上下方向の広い範囲にムラなく散水することができる。
【００２１】
第７の発明によれば、上記シャワー板の取り付け角度を上下左右平面内で変更可能としたことにより、使用者が用途に応じて吐水範囲の角度を変更することができる。
【図面の簡単な説明】
【００２２】
【図１】本発明の第一実施形態に係る散水ノズルの後方斜視図である。
【図２】同散水ノズルを示す図であり、（ａ）は平面図、（ｂ）は側方図、（ｃ）は正面図である。
【図３】同散水ノズルの縦断面図である。
【図４】同散水ノズルの内シャワー板を示す図であり、（ａ）は正面図、（ｂ）は側方図、（ｃ）は平面図、（ｄ）は背面図である。
【図５】同内シャワー板を示す図であり、（ａ）は図４（ａ）中のＡ−Ａ線断面図、（ｂ）は図４（ｄ）中のＢ−Ｂ線断面図、（ｃ）は前方斜視図、（ｄ）は後方斜視図である。
【図６】（ａ）は同内シャワー板の部分断面説明図、（ｂ）は同内シャワー板の吐出口の説明図である。
【図７】本発明の第三実施形態に係る散水ノズルの内シャワー板を示す図であり、（ａ）は正面図、（ｂ）は斜視図、（ｃ）は水平断面図である。
【図８】本発明の第三実施形態の他の例に係る散水ノズルの内シャワー板を示す正面図である。
【図９】（ａ）は第一実施形態の内シャワー板の湾曲形状の説明図、（ｂ）は第二実施形態の内シャワー板の湾曲形状の説明図である。
【図１０】（ａ）は第三実施形態の内シャワー板の湾曲形状の説明図、（ｂ）は比較例の説明図である。
【図１１】（ａ）から（ｅ）は、それぞれ、本発明の散水ノズルの吐出口の変形例を示す説明図である。
【図１２】従来の散水ノズルのシャワー板を示す図であり、（ａ）は正面図、（ｂ）は断面図、（ｃ）は斜視図、（ｄ）は散水の説明図である。
【図１３】従来の他の散水ノズルの吐出口を示す図であり、（ａ）は正面図、（ｂ）は縦断面図、（ｃ）は斜視図、（ｄ）は水平断面図である。
【発明を実施するための形態】
【００２３】
以下、本発明の第一実施形態に係る散水ノズルについて説明する。
この散水ノズル１は、園芸、農業、清掃、その他の用途において、ホースを介して水道等の給水設備の先端に接続されて散水を行う器具であって、使用者が手に持って使用するものである。
【００２４】
図１、図２に示すように、散水ノズル１は、ホース等に接続されて水を導入する接続口２を形成した基端部３ａから上方に延びる略筒状に形成されたグリップ部３と、このグリップ部３の上端から前方に延びるとともに先端に散水口５ａ、５ｂ、５ｃを形成したノズル部４とからなり、全体としてＬ字形、くの字形もしくはピストル形等の、グリップ部３とノズル部４の連続部位で屈曲した屈曲形状に形成されたノズル本体６を有している。
本明細書において、ノズル部４の説明における前後とはノズル部４の延在方向を意味し、前とはノズル部４の散水口５ａ、５ｂ、５ｃ側、後ろとはグリップ部３側を意味する。また、グリップ部３の説明における上下とは、ノズル部４を地面に平行にしてグリップ部３の接続口を地面側に向けた状態での地面に対する上下を意味し、上とは地面に対して上側、すなわちノズル部４側を意味し、下とは地面側、すなわち接続口２側を意味する。
図３に示すように、ノズル本体６の内部には、接続口２から散水口５ａ、５ｂ、５ｃまで延在する水の流路１０が形成されている。
【００２５】
ノズル本体６は、図３に示すように、屈曲した通水パイプ７に、ホースニップル８や吐水ヘッド９を接続し、外周を覆う複数のカバーを組み付けてなるが、これらのうちいくつかについて一体に成形したものであってもよい。
通水パイプ７の材料には、ＰＯＭ（ポリアセタール）、ＡＢＳ（アクリロニトリルブタジエンスチレン共重合体）等を使用することができ、降伏強度や摩擦耐久力に優れるという理由から、特にＰＯＭが好ましい。そのため、本実施形態ではＰＯＭを採用している。
【００２６】
グリップ部３は、基端部３ａからノズル部４に向かって上方に延びる略筒状に形成され、使用者が手で把持して取り回すことができるようになっている。
グリップ部３の基端部３ａでは、ホースに取り付けられた受け具（図示せず）と連結するための凹凸やＯリングを外周面に設けるとともに、その中心に給水設備からの水を導入する接続口２を開口したホースニップル８が通水パイプ７の下方に取り付けられている。
グリップ部３の向きは、ノズル部４の延在方向に対して垂直であってもよいが、図２に示すように、その垂直な向きから傾斜して、上方にグリップ部３の延在方向とは交差する向きに延びたものであってもよい。
図３に示すように、ノズル部４は、グリップ部３の上端から前方（ノズル部４の散水口側）に延びる略筒状に形成されている。
【００２７】
図３に示すように、この散水ノズル１は、通水パイプ７の流路中に、通水と止水とを切り換える止水弁、および流路を通過する水の流量を増減させる流量調整弁を有している。
止水弁は流量調整弁の上流側に設けられ、通水パイプ７のグリップ部３側の流路１０に配置された止水弁体３０を有している。止水弁体３０は、通水パイプ７に内接する有蓋円筒状に形成され、蓋の上に突起状の弁体部３０ａを形成している。止水弁体３０の外周面の２箇所にはＯリング３０ｃ、３０ｃを配設して止水弁体３０の外周を水が流れないようにするとともに、Ｏリング３０ｃより上の外周面に通水口３０ｂを形成している。通水パイプ７の基端（下方）から供給された水は、止水弁体３０の内部を通過して通水口３０ｂより外周に流出し、下流へ流れるようになっている。
【００２８】
止水弁体３０の弁体部３０ａは、通水パイプ７に設けられた止水弁座７ａよりも大径に形成され、ホースニップル８と止水弁体３０との間に介在するコイルスプリング３１によって、止水弁座７ａ側に付勢されて流路１０を閉塞する（止水状態）。この付勢力に反して弁体部３０ａが止水弁座７ａから離間させられると、流路１０が開放され水が通水する（通水状態）。
【００２９】
図２、図３に示すように、止水弁体３０を操作するために、グリップ部３の前方には止水操作レバー３２が取り付けられている。この止水操作レバー３２は、下端を固定端としてグリップ部３の下部に取り付け、上端を自由端としているため、使用者がグリップ部３を持った手で握り込むことにより下端を固定端として前後方向に回動可能となっている。
図３に示すように、通水パイプ７はグリップ部３側部分の前面に開口７ｂを形成している。縦断面Ｌ字状の弁開閉用アーム３３が、一端で止水操作レバー３２に当接し、他端で止水弁体３０に当接し、Ｌ字状の屈曲部分を支点として通水パイプ７に回動可能に支持されているため、使用者が止水操作レバー３２を握り込むと、弁開閉用アーム３３を介し、コイルスプリング３１の付勢力に反して止水弁体３０を止水弁座７ａから離間させ、通水状態にすることができる。
通水パイプ７の開口７ｂは常時止水弁体３０の２つのＯリング３０ｃ、３０ｃの中間に位置するため、水が開口７ｂから通水パイプ７の外側へ漏れることはない。
【００３０】
止水弁の下流側にあたる通水パイプ７の屈曲部分の流路１０中には、散水量を調整できる流量調整弁が設けられている。
図３に示すように、流量調整弁は、流路中に配設され、回動することで水の流量を増減させる流量調整弁体３４と、この流量調整弁体３４に連動するとともにグリップ部３の後背上部から突出し、親指で左右方向に回動操作される流量操作部材３５とからなる。
流量調整弁体は、下端をグリップ部３の流路１０に常時開放している有蓋円筒状に形成されているとともに、周面に流量調整用の切り欠きを設けている。
この流量調整弁では、流量調整弁体３４に形成された切り欠きと、ノズル部４の流路１０とが合致する面積を増減させることにより、散水量の大小を調整することができる。
【００３１】
図２（ｃ）に示すように、ノズル本体６の流路の先端には、外シャワー板１１が取り付けられ、この外シャワー板１１の中心には内シャワー板１２が取り付けられている。
図３に示すように、流路１０はノズル部４の先端付近で切換口１３に到達し、切換口１３の下流で、外シャワー板１１に連通する第一外流路１４ｂ、第二外流路１４ｃと内シャワー板１２に連通する内流路１５とに分岐している。外シャワー板１１および内シャワー板１２を含む吐水ヘッド９がノズル本体６に対してネジ回りに前後動し、第一外流路１４ｂ、第二外流路１４ｃ、内流路１５のいずれか一つが選択的に上流側の切換口１３に接続されることで、使用者は外シャワー板１１の散水口５ｂからの散水と、外シャワー板１１の散水口５ｃからの散水と、内シャワー板１２の散水口５ａからの散水とを切り換えることができる。
外シャワー板１１は、幅広環状の先端面を有し、この先端面には多数の散水口５ｂ、５ｃを放射状に形成している。
【００３２】
図４（ａ）に示すように、内シャワー板１２は、正面視で円形の先端面を有している。
図４（ｃ）に示すように、内シャワー板１２の先端面は、中央部分が前に膨出して左右方向に湾曲している。また、図４（ｂ）に示すように、内シャワー板１２の先端面の上下方向中央付近は後退し、その上側および下側は前進しており、全体としては鞍状または一葉双曲面状の立体形状に形成されている（図９（ａ）参照）。
【００３３】
内シャワー板１２の材料は、落下等の衝撃で破損することがなく、成形時に流動性が高いものであればよく、ステンレス等の金属や各種樹脂を使用することができる。
金属を打ち抜いて内シャワー板１２を形成すると、破断部で面精度が荒れてしまい、吐水の方向が狙い通りに安定しないおそれがある。さらに、吐水方向を調節するために曲げ加工や絞り加工といった後工程を必要とし、この後工程中に吐出口１６の形状が変形するおそれもある。
そのため、樹脂を用いることが好ましい。成形時の流動性、内圧による変形防止、機械特性、耐薬品性、耐疲労性、クリープ特性に優れることから、特にＰＯＭ（ポリアセタール）を使用することが好ましい。
【００３４】
図４（ａ）に示すように、内シャワー板の散水口５ａは、複数の小さな吐出口１６を左右方向に並べて開口したものを１段とし、上下に５段が形成されている。１段あたりの吐出口１６の数は、中央である上から３段目で５つの吐出口１６が形成され、その他の段では吐出口１６が４つずつ形成されている。
また、図４（ａ）に示すように、異なる段の吐出口１６は、互いに左右方向にずらした位置に形成されており、一つの吐出口１６の真上または真下には、他の吐出口１６は配置されていない。
【００３５】
図６（ｂ）に示すように、各吐出口１６は、外側出口の孔径ＤＯを０．７ｍｍに設定されている。
外側出口の孔径ＤＯは、０．２〜２．５ｍｍに設定するのが好ましい。
孔径ＤＯを０．２ｍｍよりも小さくすると、内シャワー板１２から５００ｍｍ以上の飛距離において、吐出された水が空気抵抗により分散して着弾点が狙いから逸れるおそれがある。孔径ＤＯを０．５ｍｍ以上にするのがより好ましい。
また、孔径ＤＯを２．５ｍｍよりも大きくすると、吐出される水の流速が落ちて、遠い地点への散水が難しくなるとともに、水圧も落ちて汚れを十分に押し流すことができなくなる。孔径ＤＯを２．０ｍｍ以下とするのがより好ましく、１．０ｍｍ以下とするのが特に好ましい。
０．２〜１．０ｍｍの範囲内では、孔径ＤＯを小さくすると水形がわずかに霧状になって水遣りの用途に適し、孔径ＤＯを大きくすると空気抵抗の影響を受けにくくなるため清掃の用途に適する。
【００３６】
また、図４、図５（ｂ）、図６に示すように、各吐出口１６の内側入口ＤＩは外側出口ＤＯよりも大径に形成され、各吐出口１６はテーパ面状に形成されている。
各吐出口１６がテーパ面状に形成されていることにより、内シャワー板１２の成形時に使用した金型を容易に内面側（上流側）に引き抜くことができる。図６（ａ）に示すように、テーパ面の角度θ１は、金型を容易に引き抜くことができれば特に制限されないが、対向するテーパ面同士の角度が２０〜３０度とするのがより好ましい。第一実施形態では２０度に設定した。
また、図６の断面に表れない各吐出口１６のテーパ面の内形状は、各吐出口１６の中心軸に対して３６０度の範囲で対称（シンメトリー）な形状に形成されている。
これにより、吐出される水の水形が乱れず、中心軸の方向に吐水することができる。
【００３７】
図５（ｂ）に示すように、内シャワー板１２が左右方向に湾曲して形成されているため、同一の段の各吐出口１６は、吐出された水が左右方向に拡散するように向けられている。
また、図６（ａ）に示すように、それぞれの段において、左右両端の吐出口の左右方向最外壁は、前後方向の後方線Ｌを基準にして、平行または内側に傾いていることが好ましい。上記最外壁が前後方向の後方線Ｌよりも外側に傾いていると、内シャワー板１２の成形時に使用する金型を引き抜くことが困難になるためである。
金型の引き抜き（いわゆる抜き勾配）のためには、上記最外壁の前後方向の後方線Ｌに対する傾きθ２が内側に０．５度以上傾いていることが好ましく、他方、上記のように水を左右方向に拡散するためには傾きθ２が２度以下であることが好ましい。第一実施形態では、傾きθ２を１度に設定した。
【００３８】
図４（ｂ）、図５（ａ）に示すように、内シャワー板１２において、上から１段目では、吐出口１６が比較的急な角度で下方に傾いている。同２段目では、吐出口１６が比較的緩やかな角度で下方に傾いている。同３段目では、吐出口１６が水平方向に向いている。同４段目では、吐出口１６が比較的緩やかな角度で上方に傾いている。同５段目では、吐出口１６が比較的急な角度で上方に傾いている。
【００３９】
同一の段であるか異なる段であるかを問わず、吐出口１６相互間の距離は、吐出された水が互いに引き合わない程度の距離を設ける必要があり、各吐出口１６の中心軸相互間の距離を１．８ｍｍ以上にするのが好ましい。中心軸相互間の距離を１．８ｍｍより小さくすると、水の持つ電位による引き付け力が発生し、吐出された水が合流してしまい、狙った地点に着弾しなくなってしまう。第一実施形態では、各吐出口の中心軸相互間の最短距離（上下に隣接する段の最も近い吐出口の間の距離）Ｍｉｎ（図８参照）を１．８ｍｍとした。
また、同一の段で隣接する吐出口相互間の距離を、全て２．７ｍｍとしている。
【００４０】
また、図６（ａ）に示すように、内シャワー板１２の左右方向の湾曲は略円弧状に形成されている。図６（ａ）のような水平断面で見たときに、内シャワー板１２の外側円弧面の中心Ｏと、内側円弧面の中心Ｏとは一致し、同一の段の全ての吐出口１６の中心軸が中心Ｏを通るようにする。
このように均等な形状に形成したことにより、各吐出口の水量や水形の偏りやムラがなくなり、所望の地点への吐水が可能となる。
【００４１】
以上の構成により、図９（ａ）に示すように、内シャワー板１２の吐出口から吐出される水は、内シャワー板１２から約１０００ｍｍ離れた地点で、左右方向に略一列に並んで着弾する。
水は、全体で左右方向に４００ｍｍ、上下方向に２ｍｍ程度の範囲に吐出される。
このとき、同一の段で左右方向に隣接する２つの吐出口１６から吐出される水の着弾点での距離は約１００ｍｍとなる。また、上下に隣接する段の最も近い２つの吐出口から吐出される水の着弾点の距離は約２０ｍｍとなる。
【００４２】
最も近い着弾点同士の距離は約２０ｍｍであり、着弾した水がその勢いで変形することで隙間が埋まるため、着弾地点では、左右方向に連続する水の波が形成される。
吐出された水は着弾するまで細い棒状吐水であるため、空気抵抗をほとんど受けず、狙いから逸れることや減速することはほとんどない。そのため、内シャワー板１２からの散水によって形成された水の波は、左右方向の広い範囲にわたり、隙間なく汚れ等を押し流す勢いを有している。
これにより、第一実施形態の散水ノズル１では、清掃等において左右方向の広い範囲の汚れをムラなく押し流すことができるとともに、水遣り等においてもムラのない水遣りが可能になる。
【００４３】
また、内シャワー板１２の先端面の直径は約２０ｍｍであるが、第一実施形態ではこのように小さな領域に多数（第一実施形態では２１個）の吐出口１６を形成して、横一列の広範囲に吐水することができ、散水ノズル１を小型化することができる。
【００４４】
＜第二実施形態＞
以下では、第二実施形態の散水ノズル１について説明する。なお、第一実施形態と共通する構成については説明を省略する。
第二実施形態では、図９（ｂ）に示すように、内シャワー板１７の先端面を、上から順に逆さ円錐周面状、円筒周面状、円錐周面状の曲面を連続させることによって形成したことを特徴とする。
【００４５】
内シャワー板１７の上部１７ａは、下側が縮径する逆さ円錐の周面状に形成されている。
内シャワー板１７の上下方向中央部１７ｂは、上部１７ａの下端部分と同径の円筒の周面状に形成されている。
内シャワー板１７の下部１７ｃは、上側が縮径する円錐の周面状に形成されている。下部１７ｃの上端部分は、中央部１７ｂの円筒と同じ径に形成される。
図に示すように、内シャワー板１７の先端面は、全体として鼓形の側周面を切り取った形状に形成される。
【００４６】
第二実施形態でも、内シャワー板１７には、複数の小さな吐出口１６を左右方向に並べて開口したものを１段とし、上下に複数の段が形成されている。
図９（ｂ）では、上下に３段が形成され、１段あたりの吐出口１６は、上から２段目で５つの吐出口１６が形成され、その他の段では吐出口１６が４つずつ形成されている。
また、異なる段の吐出口１６は、互いに左右方向にずらした位置に形成されており、一つの吐出口１６の真上または真下には、他の吐出口１６は配置されていない。
【００４７】
また、同一の段であるか異なる段であるかを問わず、吐出口１６相互間の距離は、吐出された水が互いに引き合わない程度の距離を設ける必要があり、第二実施形態では、各吐出口１６の中心軸相互間の最短距離（上下に隣接する段の最も近い吐出口の間の距離）Ｍｉｎ（図８参照）を２．０ｍｍとした。
【００４８】
図９（ｂ）に示すように、上から１段目の吐出口１６は逆さ円錐周面状の上部１７ａに形成され、同２段目の吐出口１６は円筒周面状の中央部１７ｂに形成され、同３段目の吐出口１６は円錐周面状の下部１７ｃに形成されている。
このため、１段目の吐出口１６は下方に傾き、２段目の吐出口１６は水平方向に向けられ、３段目の吐出口１６は上方に傾いている。
【００４９】
第二実施形態では、以上の構成により、図９（ｂ）に示すように、内シャワー板１７の吐出口１６から吐出される水が、内シャワー板１７から約１０００ｍｍ離れた地点で、左右方向に略一列に並んで着弾する。
着弾した水がその勢いで変形することで隙間が埋まるため、着弾地点では、左右方向に連続する水の波が形成される。
これにより、第二実施形態の散水ノズルでは、清掃等において左右方向の広い範囲の汚れをムラなく押し流すことができるとともに、水遣り等においてもムラのない水遣りが可能になる。
【００５０】
＜第三実施形態＞
以下では、第三実施形態の散水ノズル１について説明する。なお、第一実施形態と共通する構成については説明を省略する。
第三実施形態でも、図７（ａ）に示すように、内シャワー板１８の先端面に、左右方向に並べて開口された複数の吐出口１６を１段とし、上下方向に複数の段を設けている。図７では、上下に５段が形成され、１段あたりの吐出口１６の数は、中央である上から３段目で５つの吐出口１６が形成され、その他の段では吐出口１６が４つずつ形成されている。
また、図８に示すように、上下に３段が形成され、１段あたりの吐出口１６の数は、中央である上から２段目で４つの吐出口１６が形成され、その他の段では吐出口１６が３つずつ形成されるようにしてもよい。
【００５１】
第三実施形態では、図７（ｂ）（ｃ）、図１０（ａ）に示すように、それぞれの段は円筒周面状の曲面からなり、上記複数の段のそれぞれの湾曲面を互いに左右方向にずらして内シャワー板１８を形成したことを特徴とする。
【００５２】
図１０（ａ）に示すように、それぞれの段は円筒周面状の曲面からなっており、かつ、それぞれの段の湾曲面は互いに左右方向にずらして形成されている。
隣接する２つの段では、下の段が上の段よりも図１０（ａ）で右側に所定長さだけずらされており、このずらし量は全ての段差部分で等しい。
【００５３】
また、内シャワー板１８における吐出口１６の配置は、上下に隣接する段の吐出口１６が左右方向にずらして形成されるとともに、間に１段を隔てた段同士（たとえば上から１段目と３段目）では吐出口１６の位置が左右方向に一致する千鳥配置に形成されている。
間に１段を隔てた段同士においても、上記の通りそれぞれの段の湾曲面が左右方向にずらして形成されているため、左右方向の同じ位置に形成された上下の吐出口１６の角度は、左右方向に異なっている。
【００５４】
第三実施形態では、以上の構成により、内シャワー板１８の吐出口１６から吐出される水が、内シャワー板１８から約１０００ｍｍ離れた地点で、左右方向に延びるやや幅広な帯状の範囲内に着弾する。
各吐出口１６からの水の着弾位置は、左右方向に隙間があるとともに、上下方向または前後方向にもわずかに隙間が形成され、全体としてやや幅広な帯状の範囲に着弾する。
着弾した水がその勢いで変形することで隙間が埋まるため、着弾地点では、左右方向に連続する水の波が形成される。
これにより、第三実施形態の散水ノズル１では、清掃等において左右方向の広い範囲の汚れをムラなく押し流すことができるとともに、水遣り等においてもムラのない水遣りが可能になる。
【００５５】
図１０（ｂ）の比較例の内シャワー板２３のように、それぞれの段の湾曲面をずらさず、異なる段の吐出口１６を左右方向にずらして形成する場合、幅方向に均一な散水を可能にするために内シャワー板の左右方向に大きな領域を必要とするとともに、吐出される水が引き合わない距離を保持するために内シャワー板の上下方向にも大きな領域を必要とする。
他方、第三実施形態の散水ノズル１では、図１０（ａ）のようにそれぞれの段の湾曲面を互いに左右方向にずらしたことにより、異なる段の吐出口１６の配置をより左右方向に密集させて形成しても、吐出口１６の向きの差異によって左右方向の広い範囲に散水することができる。
そのため、図１０（ｂ）の比較例に比べて、内シャワー板１８の小さな領域に多数の吐出口を形成して、広範囲に吐水することができ、散水ノズル１を小型化することができる。
【００５６】
＜その他の変形例＞
内シャワー板に形成する吐出口１６の段の数や、１段あたりの吐出口１６の数は、内シャワー板の大きさや必要な散水範囲に応じて適宜変更してよい。
第一実施形態では段数を５段として１段あたり４つ（３段目のみ５つ）の吐出口１６を形成し、左右方向に４００ｍｍの範囲に散水することができたが、段数を７段として１段あたり４つ（４段目のみ５つ）の吐出口１６を形成すると、左右方向に５６０ｍｍの範囲に散水することができる。
また、吐出口１６の段数を偶数にしてもよい。
【００５７】
また、第一実施形態や第二実施形態では３段目の吐出口を水平方向に向け、１、２段目の吐出口を下方に傾け、４、５段目の吐出口を上方に傾けているが、このほかに２段目の吐出口を水平方向に向け、１段目の吐出口を下方に向け、３〜５段目の吐出口を上方に傾けてもよい。また、この例と上下を逆にして、４段目の吐出口を水平方向に向けてもよい。
さらに、１段目の吐出口を水平方向に向け、２〜５段目を上方に傾けてもよい。また、この例と上下を逆にして、５段目の吐出口を水平方向に向けてもよい。
【００５８】
また、各吐出口１６の形状は、図６（ｂ）のようなテーパ面状には限定されず、様々な形状を採用することができる。
たとえば、図１１（ａ）に示すように、内側入口から外側出口へと縮径する点では図６（ｂ）と共通するが、図６（ｂ）よりも内壁がせり出し、流路が内部に凹んだ形状に形成してもよい。
また、図１１（ｂ）に示すように、内側入口から外側出口へと縮径する点では図６（ｂ）と共通するが、図６（ｂ）よりも内壁が凹み、流路が膨らんだ流路形状に形成してもよい。
【００５９】
また、図１１（ｃ）に示すように、内側入口に形成された大径のテーパ面と、外側出口に形成された小径のテーパ面とを、急勾配のテーパ面によって接続した段差形状に形成してもよい。
さらに、図１１（ｄ）に示すように、内側入口から形成されたテーパ面が、縮径しない円柱状の流路に接続する形状に形成してもよい。
また、図１１（ｅ）に示すように、内側入口から形成された円柱状の流路が、途中からテーパ面に接続する形状に形成してもよい。
その他にも、内側入口から外側出口へ流路の径が一定な円柱形状、流路の径が次第に小さくなっていく形状、径が一定な円柱状の部分と径が次第に小さくなっていく部分とを接続した形状を採用することができる。
【００６０】
第一実施形態や第二実施形態では、左右方向の広い範囲を散水できる内シャワー板１２，１７，１８を形成したが、必要に応じ、上下方向の広い範囲を散水できる内シャワー板を形成してもよい。
この場合には、内シャワー板を、中央部分が前に膨出して上下方向に湾曲する形状に形成し、上下方向に複数（たとえば４つ）の吐出口１６を並べたものを１列として、左右方向に複数の列（たとえば５列）を形成する。異なる段の吐出口１６は互いに左右方向にずらして形成される。
また、中央の列の吐出口１６を左右方向に傾きのない方向に向けるとともに、左右の列の吐出口１６を中央の列側に（左右方向に）傾けて形成する。
これにより、各吐出口１６から吐出された水が、内シャワー板から所定距離の地点において上下方向に略一列に並び、広い範囲を散水することができる。
同様に、第三実施形態でも、上下方向の広い範囲を散水できる内シャワー板を形成してもよい。
【００６１】
また、上記と同様に、所望の斜め方向の広い範囲を散水できるようにしてもよい。
また、第一実施形態から第三実施形態の内シャワー板１２，１７，１８を散水ノズルの他の部分に対して上下左右平面内で回転可能に取り付けて、吐水範囲の角度を使用者が自由に変更できるようにしてもよい。
【符号の説明】
【００６２】
１  散水ノズル
２  接続口
３  グリップ部
４  ノズル部
５ａ  （内シャワー板の）散水口
５ｂ  （外シャワー板の）散水口
５ｃ  （外シャワー板の）散水口
６  ノズル本体
７  通水パイプ
７ａ  止水弁座
７ｂ  開口
８  ホースニップル
９  吐水ヘッド
１０  流路
１１  外シャワー板
１２  内シャワー板
１３  切換口
１４ｂ  第一外流路
１４ｃ  第二外流路
１５  内流路
１６  吐出口
１７  内シャワー板
１７ａ  上部
１７ｂ  中央部
１７ｃ  下部
１８  内シャワー板
１９  シャワー板
２０  吐出口
２１  スクリーン
２２  （長孔状の）吐出口
２３  内シャワー板
３０  止水弁体
３０ａ  弁体部
３０ｂ  通水口
３０ｃ  Ｏリング
３１  コイルスプリング
３２  止水操作レバー
３３  弁開閉用アーム
３４  流量調整弁体
３５  流量操作部材
【図１】
2014094324.tif 000003
【図２】
2014094324.tif 000004
【図３】
2014094324.tif 000005
【図４】
2014094324.tif 000006
【図５】
2014094324.tif 000007
【図６】
2014094324.tif 000008
【図７】
2014094324.tif 000009
【図８】
2014094324.tif 000010
【図９】
2014094324.tif 000011
【図１０】
2014094324.tif 000012
【図１１】
2014094324.tif 000013
【図１２】
2014094324.tif 000014
【図１３】
2014094324.tif 000015